Podtech/llm-jp-corpus-v4-ja_patent huggingface dataset:
(57)【要約】      （修正有）【課題】ラフランス、もも、なし、等の薄皮の果実の食べごろの見分けが可能な熟度テスターを提供する。【解決手段】果実１２の表面に針６を打ち込み刺さる深さで硬さを調べるもので、セットレバー７を引き自動でセットされ、食べごろの果実１２にパイプ１の先端を当て入切ボタン８を押すことで針６の先端が果実１２に突き刺さり、果実１２の硬いときは浅く、柔らかいときは深く刺さり、ハンマーの目盛りと目盛り孔１０で熟度を知ることができる。【選択図】図２
0003196004.tif 000002
【実用新案登録請求の範囲】
【請求項１】
小径の透明円筒形パイプを横にし右端をめねじとし、調整ねじを装入しパイプの左端より押しばねと円柱型のハンマーを装入  ハンマー先端左前方に針を固定し左右に移動する。ハンマーにセットレバーを取り付けるためパイプ側方に長孔を形成しセットレバーは固定されセットレバーを右方向に押しばねを圧縮し入切ボタンで自動で定位置に停止し果実の表面にパイプの先端を当て上部の入切ボタン（もどりばね）を押すとハンマーは押しばねの反発力で針先は飛び出し果実の表面に突き刺さり表面の硬いと浅く、柔らかいと深く刺さりその差をハンマーの目盛りと目盛り孔で刺さり程度で熟度を知ることが出来る果実の熟度テスター。
【考案の詳細な説明】
【技術分野】
【０００１】本考案は果実の表面にパイプの先端を当て、リセットボタンを押すと針先は飛び出し突き刺さる深さをハンマーの目盛りと目盛り孔で熟度の程度を知ることが出来る。
【背景技術】
【０００２】本考案は果実特にラフランス、もも、りんご等簿皮の果実の食べごろを指で押して硬さを見るに永年の経験と感触で行うことは不可能である。
【考案の概要】
【考案が解決しようとする課題】
【０００３】果実は押された痕跡で痛みが出来、商品の価値が低下するもので、針先の細く刺し傷の小さいもので、片手で操作でき軽く、構造の簡単で廉価であること。
【課題を解決する為の手段】
【０００４】本考案は果実の表面に針を打ち込み刺さる深さで硬さを調べるものである。
【考案の効果】
【０００５】本考案に係る熟度テスターは果実の表面に一定の深さで細い針を突き刺しその深さをモデル（ひな形）と同じ程度の硬さの品揃えが出来るテスターである。
【本考案を実施するため最良の形態】
【０００６】図１に示すように、パイプ１内の左端に針６を固定する円柱形のハンマー５を後方に押しばね４を装入し調整ねじ３をパイプ１右端のめねじ２で保持される。
【０００７】ハンマー５にセットレバー７を取り付けるため、パイプ１側方に長孔を形成し、ハンマー５とセットレバー７は固定され、セットレバー７を右方向に押しばね４を圧縮し自動で定位置で停止する。
【０００８】テストは果実１２の表面にパイプ１左端を当て入切ボタン８を押すとハンマー５は押しばね４の反発力で、果実１２の表面に突き刺さり針６は表面が硬いと浅く柔らかいと深く刺さり、ハンマー５の目盛りと目盛り孔１０で、熟度を知ることが出来る。
【０００９】テストは食べ頃の果実を選び調整ねじをゆるめセットレバーを右方向固定、テスターのパイプを果実の表面に当て、入切ボタンを押し針先の長さの半分が刺さるまで調整ねじを押し込んで、半分まで刺さった状態で食べ頃を選別するテスターである。
【図面の簡単な説明】
【００１０】
【図１】本考案に係る熟度テスターの平面図、断面図である。
【図２】本考案に係る熟度テスターの側面図である。
【図３】本考案に係る熟度テスターの正面図、断面図である。
【符号の説明】
【００１１】１．パイプ                        １１．通気孔
２．めねじ                        １２．果実
３．調整ねじ                      １３．ワッシャー
４．押しばね                      １４・もどりばね
５．ハンマー
６．針                            １５  カラー
７．セットレバー                  １６  ビス
８．入切りボタン                  １７
９．ハンマー目盛り
１０．目盛り孔
【図１】
0003196004.tif 000003
【図２】
0003196004.tif 000004
【図３】
0003196004.tif 000005
【手続補正書】
【提出日】平成26年11月21日(2014.11.21)
【手続補正１】
【補正対象書類名】実用新案登録請求の範囲
【補正対象項目名】全文
【補正方法】変更
【補正の内容】
【実用新案登録請求の範囲】
【請求項１】
小径の透明円筒形パイプを横にし右端をめねじとし、調整ねじを装入しパイプの左端より押しばねと円柱型のハンマーを装入し、ハンマー先端左前方に針を固定し左右に移動可能とし、ハンマーにセットレバーを取り付けるためパイプ側方に長孔を形成し、ハンマーに固定されたセットレバーを右方向に押しばねを圧縮し入切ボタンで自動で定位置に停止し果実の表面にパイプの先端を当て、上部の入切ボタンを押すとハンマーは押しばねの反発力で針先は飛び出し過日の表面に突き刺さり、表面の硬いと浅く、柔らかいと深く刺さりその差をハンマーの目盛りと目盛り孔で刺さり程度で熟度を知ることが出来る果実の熟度テスター。
(57)【要約】      （修正有）【課題】背板を有しないブックエンドや側板のみの棚に簡単に取り付けられる着脱式背板を提供する。【解決手段】一側端部を折り曲げることで形成された取付け具付側板取付け部を備えた背板本体１と、他側端部を折りまげることで形成された取付け具付側板取付け部を備えたインサート９の二つの部材からなる着脱式背板であって、背板本体に設けられた鞘状またはガイドレール２にインサートの一側端部を挿入し、背板本体の取付け具付側板取付け部とインサートの取付け具付側板取付け部をブックエンド及び側板のみの棚等の側板に取り付けて使用することを特徴とする。【選択図】図５
0003196006.tif 000002
【実用新案登録請求の範囲】
【請求項１】
本考案は、取付け具付側板取付け部を有する鞘状またはガイドレール付背板本体と、取付け具付側板取付け部を有するインサートの二つの部材からなる、ブックエンド及び側板のみの棚等の側板に取付けて使用することを特徴とする、着脱式背板とする。
【考案の詳細な説明】
【技術分野】
【０００１】  本考案は、背板を有しないブックエンド及び側板のみの棚等の背板の取付けに関する。
【背景技術】
【０００２】  従来、ブックエンド及び側板のみの棚等は背板を有しない、底板、側板だけで構成されている。【０００３】  しかしながら、従来の背板の無いブックエンド及び側板のみの棚を使用して、本やファイルを保管する場合、背板が無い為に本やファイル等の縦置き横並べ整列配置が困難であった。そのためには、背面に壁がある所に設置するか、或いは段ボール等で作成した簡易背板を設置しなければならないという欠点があった。
【先行技術文献】
【特許文献】
【０００４】
【考案の概要】
【考案が解決しようとする課題】
【０００５】  本考案は、以上のような従来の背板を有しないブックエンドや側板のみの棚に簡単に取り付けられる背板を提供することを目的としている。
【課題を解決するための手段】
【０００６】  上記目的を達成するために、本考案は取付け具付側板取付け部を有する鞘状またはガイドレール付背板本体と、取付け具付側板取付け部を有するインサートの二つにより着脱式背板を構成している。
【考案の効果】  以上の説明から明らかなように、本考案にあっては次に列挙する効果が得られる。【０００７】（１）背板の無いブックエンド、側板のみの棚等にも簡単に背板を取付けることができる。【０００８】（２）前記（１）により、背板の無いブックエンドや側板のみの棚にも簡単に背板を取付けることによって、本やファイルの縦置き横並べ整列配置が容易にできる。【０００９】（３）鞘状、またはガイドレールとインサートの二重構成による可動伸縮により、横幅の自由度を簡単に変えることが出来るので、本やファイルの多寡にも容易に対応できる。
【図面の簡単な説明】
【００１０】
【図１】本考案を構成する本体の表側平面図である。
【図２】本考案を構成する本体の裏側平面図である。
【図３】本考案を構成するインサートの表側平面図である。
【図４】本考案を構成するインサートの裏側平面図である。
【図５】本考案の組み立て姿図である。
【図６】本考案を既存側板に取付けた姿図である。
【考案を実施するための形態】
【００１１】  以下、本考案の実施の形態を図に基づいて説明する。
【実施例１】
【００１２】  図１は、本考案の実施例、着脱式背板本体の表側の平面図である。
１．本体表側にはインサートを収納する、２．ガイドレールまたは鞘機能が付いている。
３．本体側板取付け部は４．本体山折れ部で外側に曲がるようになっている。
【実施例２】
【００１３】  図２は、本考案の実施例、着脱式背板本体の裏側の平面図である。
５．本体裏側は収納物と接する個所で、６．本体裏側板取付け部は４．谷折れ部で内側に曲がるようになっており、既存側板に接する。
６．本体側板取付け部には、８．磁石等取付け具があらかじめ設けられており、既存側板が鉄製の場合はそのまま取付けが可能である。既存側板が鉄製以外のときは既存側板に鉄板を貼付けて使用する。また磁石の替りにマジックテープ等を使用しても同じ効果を得られる。
【実施例３】
【００１４】  図３は、本考案の実施例、着脱式背板インサート本体表側の平面図である。
９．インサート表側は１．本体表側に収納される個所で、スライドすることにより背板の横幅伸縮機能を果たす。
１０．インサート側板取付け部は、１１．インサート山折れ部で山側に曲がるようになっている。
【実施例４】
【００１５】  図４は、本考案の実施例、着脱式背板インサート本体裏側の平面図である。
１２．インサート裏側は本体に収納され、スライドすることにより背板の横幅伸縮機能を果たし、本体からはみ出した部位は収納物と接する。
１３．インサート側板取付け部は、１４．インサート谷折れ部で内側に曲がるようになっており、既存側板に接する。
１３．インサート側板取付け部には、１５．磁石等取付け具があらかじめ設けられており、既存側板が鉄製の場合はそのまま取付けが可能であり、既存側板が鉄製以外のときは既存側板に鉄板を貼付けて使用する。また磁石の替りにマジックテープ等を使用しても同じ効果を得られる。
【実施例５】
【００１６】  図５は、本考案の実施例、着脱式背板組立姿図である。
既存側板に取り付ける以前の状態で、本体にインサートが途中まで挿入されている状態の図面である。
【実施例６】
【００１７】  図６は、本考案の実施例、着脱式背板既存側板取付け姿図である。
【産業上の利用可能性】
【００１８】  本考案は、事務所等で広く利用される。
【符号の説明】
【００１９】  １  本体表側
２  ガイドレール
３  本体側板取付け部表側
４  本体山折れ部
５  本体裏側
６  本体側板取付け部裏側
７  本体谷折れ部
８  磁石等取付け具
９  インサート表側
１０  インサート側板取付け部表側
１１  インサート山折れ部
１２  インサート裏側
１３  インサート側板取付け部裏側
１４  インサート谷折れ部
１５  磁石等取付け具
【図１】
0003196006.tif 000003
【図２】
0003196006.tif 000004
【図３】
0003196006.tif 000005
【図４】
0003196006.tif 000006
【図５】
0003196006.tif 000007
【図６】
0003196006.tif 000008
【手続補正書】
【提出日】平成26年11月21日(2014.11.21)
【手続補正１】
【補正対象書類名】実用新案登録請求の範囲
【補正対象項目名】全文
【補正方法】変更
【補正の内容】
【実用新案登録請求の範囲】
【請求項１】
一側端部を折り曲げることで形成された取付け具付側板取付け部を備えた背板本体と、他側端部を折りまげることで形成された取付け具付側板取付け部を備えたインサートの二つの部材からなる着脱式背板であって、背板本体に設けられた鞘状またはガイドレールにインサートの一側端部を挿入し、背板本体の取付け具付側板取付け部とインサートの取付け具付側板取付け部をブックエンド及び側板のみの棚等の側板に取り付けて使用することを特徴とする着脱式背板。
(57)【要約】      （修正有）【課題】香水を身体の脇や耳たぶの後ろなどに付けるとき、防水シートを持って吸水パッドに瓶の香水を滲ませてから身体に付けるようにし、香水が手の指先に付かず、手の指先の残り香を防ぎ、又、香水の変質を防ぐことができる香水用吸水パッド付き防水シートを提供する。【解決手段】ポリプロピレン・ポリエチレン・ポリエチレンテレフタレートを原料とし、香水のブランド名３・ロゴマーク３ａを入れた防水シート１の中央部に、香水用吸水パッド２を接着させることを特徴とする。【選択図】図１
0003196005.tif 000002
【実用新案登録請求の範囲】
【請求項１】
ポリプロピレン・ポリエチレン・ポリエチレンテレフタレートなどを原料とし、香水のブランド名・ロゴマークを入れた防水シートの中央部に、香水用吸水パッドを接着させることを特徴とした香水用吸水パッド付き防水シート
【考案の詳細な説明】
【技術分野】
【０００１】  本考案は、香水用吸水パッドを防水シートの中央部に接着させたものである。
【背景技術】
【０００２】  香水を香水瓶から手の指先に付けて、手の指先で身体の脇や耳たぶの後ろなどに付けていた。
【考案の概要】
【考案が解決しようとする課題】
【０００３】  手の指先に付いた香水の残り香が、すぐには消えず、料理する時などに食器や食材に移り香が付く。又、手の指先が汚れていたとき香りが変質する。従って、手の指先を使わず吸水パッド付き防水シートを使えば、手の指先に香りが付くことはなくなり、香りの変質も防げる。前述の欠点を解決しようとするものである。且つ、防水シートに香水のブランド名・ロゴマークを入れて高付加価値を付けるものである。
【課題を解決するための手段】
【０００４】  本考案は、ポリプロピレン・ポリエチレン・ポリエチレンデレフタレートなどを原料とし、香水のブランド名・ロゴマークを入れた防水シートの中央部に、吸水パッドを接着することで、問題点を解決している。
【考案の効果】
【０００５】  上述の様に、本考案の香水用吸水パッド付き防水シートは、防水シートを手に持って吸水パッドに瓶の香水を滲ませ、身体の脇や耳たぶの後ろなどに付けることで手の指先に付く残り香を防ぎ、又、手の指先の汚れで香りが変質するのを防ぐのに役立つ。且つ、防水シートに香水のブランド名・ロゴマークを入れることで高級感が出る。
【図面の簡単な説明】
【０００６】
【図１】本考案の香水用吸水パッド付き防水シートを上から見た実寸図である。
【図２】本香水用吸水パッドと防水シートの厚みを横から見た実寸図である。
【図３】本香水用吸水パッド付き防水シートの量産方法を示す図である。
【図１】
0003196005.tif 000003
【図２】
0003196005.tif 000004
【図３】
0003196005.tif 000005
【手続補正書】
【提出日】平成26年11月21日(2014.11.21)
【手続補正１】
【補正対象書類名】実用新案登録請求の範囲
【補正対象項目名】全文
【補正方法】変更
【補正の内容】
【実用新案登録請求の範囲】
【請求項１】
ポリプロピレン・ポリエチレン・ポリエチレンテレフタレートを原料とし、香水のブランド名・ロゴマークを入れた防水シートの中央部に、香水用吸水パッドを接着させることを特徴とした香水用吸水パッド付き防水シート
【手続補正３】
【補正対象書類名】明細書
【補正対象項目名】全文
【補正方法】変更
【補正の内容】
【考案の詳細な説明】
【技術分野】
【０００１】  本考案は、香水用吸水パッドを防水シートの中央部に接着させたものである。
【背景技術】
【０００２】  香水を香水瓶から手の指先に付けて、手の指先で身体の脇や耳たぶの後ろなどに付けていた。
【考案の概要】
【考案が解決しようとする課題】
【０００３】  手の指先に付いた香水の残り香が、すぐには消えず、料理する時などに食器や食材に移り香が付く。又、手の指先が汚れていたとき香りが変質する。従って、手の指先を使わず吸水パッド付き防水シートを使えば、手の指先に香りが付くことはなくなり、香りの変質も防げる。前述の欠点を解決しようとするものである。且つ、防水シートに香水のブランド名・ロゴマークを入れて高付加価値を付けるものである。
【課題を解決するための手段】
【０００４】  本考案は、ポリプロピレン・ポリエチレン・ポリエチレンデレフタレートを原料とし、香水のブランド名・ロゴマークを入れた防水シートの中央部に、吸水パッドを接着することで、問題点を解決している。
【考案の効果】
【０００５】  上述の様に、本考案の香水用吸水パッド付き防水シートは、防水シートを手に持って吸水パッドに瓶の香水を滲ませ、身体の脇や耳たぶの後ろなどに付けることで手の指先に付く残り香を防ぎ、又、手の指先の汚れで香りが変質するのを防ぐのに役立つ。且つ、防水シートに香水のブランド名・ロゴマークを入れることで高級感が出る。
【図面の簡単な説明】
【０００６】
【図１】本考案の香水用吸水パッド付き防水シートを上から見た実寸図である。
【図２】本香水用吸水パッドと防水シートの厚みを横から見た実寸図である。
【図３】本香水用吸水パッド付き防水シートの量産方法を示す図である。
(57)【要約】      （修正有）【課題】１本の線材の簡単な曲げ加工で形成することができ、プレス加工や捻り加工等の強加工の必要性がなく、線材が太くなっても簡単に加工できる衣服用ハンガーを提供する。【解決手段】衣服用ハンガー１０を線材１及びチューブ２によって構成する。線材１には、曲げ加工により、第１の端部１Ａから第２の端部１Ｂに向かって、本体１１、首部１２及びフック部１３をこの順に形成する。チューブ２は、弾性変形可能な樹脂を素材として、２本の線材１を緊縛できる大きさ及び形状の孔部を有する。チューブ２の孔部内に線材１の第１の端部１Ａと首部１２の近傍とを挿入する。【選択図】図１
0003198810.tif 000002
【実用新案登録請求の範囲】
【請求項１】
第１の端部から第２の端部に向かって曲げ加工により本体、首部及びフック部を順に形成した１本の線材と、
前記線材の第１の端部と前記首部の近傍とが挿入される孔部を有する樹脂製のチューブと、
を備えた衣服用ハンガー。
【請求項２】
前記チューブは、前記孔部に挿入された２本の前記線材を弾性力によって緊縛できる大きさ及び形状の瓢箪型の孔部を有する請求項１に記載の衣服用ハンガー。
【考案の詳細な説明】
【技術分野】
【０００１】
この考案は、１本の線材で構成した衣服用ハンガーに関する。
【背景技術】
【０００２】
従来、１本の線材における第１の端部から第２の端部に向かってハンガー本体、首部及びフック部を有する衣服用ハンガーを形成する場合、線材の第１の端部をプレス加工や捻り加工などの強加工で首部に接合していた。
【０００３】
即ち、図３に示すように、線材１００の第１の端部１０１は、首部１０２に引っ掛けて接合される（例えば、特許文献１参照。）。また、図４に示すように、線材２００の第１の端部２０１は、首部２０２に複数回巻き付けるように捻じって接合される。
【先行技術文献】
【特許文献】
【０００４】
【特許文献１】特開平０９−１０３３５４号公報
【考案の概要】
【考案が解決しようとする課題】
【０００５】
しかし、従来の衣服用ハンガーには以下の課題がある。
【０００６】
１）１本の線材で形成する場合に、プレス加工や捻り加工等の強加工が必要になる。
【０００７】
２）線材における一端部と首部とを接合するために、一端部を首部に引っ掛けたり捻じったりという加工が必要で作業工数が増える。
【０００８】
この考案の目的は、１本の線材の簡単な曲げ加工で形成することができ、プレス加工や捻り加工等の強加工の必要性がなく、線材が太くなっても簡単に加工できる衣服用ハンガーを提供することにある。
【課題を解決するための手段】
【０００９】
この考案の衣服用ハンガーは、第１の端部から第２の端部に向かって曲げ加工により本体、首部及びフック部を順に形成した１本の線材と、線材の第１の端部と首部近傍とを接続する樹脂製のチューブと、からなる。
【００１０】
この構成によれば、曲げ加工によって第１の端部から第２の端部に向かって本体、首部及びフック部を順に形成した１本の線材における第１の端部が、樹脂製のチューブを介して首部近傍に接続される。
【考案の効果】
【００１１】
本考案によれば、以下の効果を奏することができる。
【００１２】
１）１本の線材の曲げ加工のみによって衣服用ハンガーを簡単に製作できる。
【００１３】
２）線材の第１の端部と首部との接合にプレス加工や捻り加工等の強加工を必要としない。
【００１４】
３）線材の太さに関わらず、簡単に加工できる。
【図面の簡単な説明】
【００１５】
【図１】本考案の実施形態に衣服用ハンガーの正面図である。
【図２】（Ａ）及び（Ｂ）は、同衣服用ハンガーに用いられるチューブの正面図及び側面図である。
【図３】従来の衣服用ハンガーの正面図である。
【図４】別の従来の衣服用ハンガーの正面図である。
【考案を実施するための形態】
【００１６】
以下に、この考案の実施形態に係る衣服用ハンガーについて、図１及び２を参照しつつ説明する。
【００１７】
図１に示すように、この考案の実施形態に係る衣服用ハンガー１０は、１本の線材１とチューブ２とから構成されている。
【００１８】
線材１は、曲げ加工により、第１の端部１Ａから第２の端部１Ｂに向かって、本体１１、首部１２及びフック部１３がこの順に形成されている。
【００１９】
本体１１は、一例として第１の端部１Ａとの間に小円弧部１１Ａを挟む直線状の第１の肩部１１Ｂ、第１の肩部１１Ｂとの間に大円弧部１１Ｃを挟む直線状の基部１１Ｄ、基部１１Ｄとの間に大円弧部１１Ｅを挟む第２の肩部１１Ｆにより、角部を丸めた偏平三角形形状を呈している。
【００２０】
首部１２は、第２の肩部１１Ｆに連続する円弧で構成されている。
【００２１】
フック部１３は、第２の肩部１１Ｆとの間に首部１２を挟む直線状の延出部１３Ａと、延出部１３Ａ及び第２の端部１Ｂの間を連結する大円弧部１３Ｂと、で構成されている。
【００２２】
チューブ２は、弾性変形可能なゴムを含む樹脂を素材として、図２（Ａ）及び（Ｂ）に示すように、長円形断面の柱状体の内部に、長手方向の両端に開放した瓢箪形の孔部２１を形成したものである。孔部２１は、２本の線材１を挿入できる大きさであって、挿入された２本の線材１をチューブ２の弾性力によって緊縛できる大きさ及び形状にされている。
【００２３】
図１に示すように、チューブ２の孔部２１に第２の端部１Ｂを挿入した後に、孔部２１にフック部１３及び首部１２を順に通過させ、チューブ２を第２の肩部１１Ｆの上端部に位置させる。この状態で、孔部２１に第１の端部１Ａを挿入することで、衣服用ハンガー１０の形状が維持される。
【００２４】
チューブ２は、弾性変形可能な樹脂製であるため、孔部２１内に第２の端部１Ｂ、フック部１３及び首部１２を容易に通過させることができ、孔部２１内に第１の端部１Ａを容易に挿入できる。
【００２５】
また、孔部２１が、挿入された２本の線材１をチューブ２の弾性力によって緊縛できる大きさ及び形状にされているため、衣服用ハンガー１０の形状を確実に維持できる。
【００２６】
さらに、曲げ加工により、第１の端部１Ａから第２の端部１Ｂに向かって、本体１１首部１２及びフック部１３をこの順に形成した１本の線材１と、瓢箪型の孔部２１を有する樹脂製のチューブ２と、を準備し、線材１をチューブ２の孔部２１に通過させる作業のみで、衣服用ハンガー１０を容易かつ低廉に製造することができる。
【００２７】
なお、本体１１、首部１２及びフック部１３は、上記の実施形態の形状に限るものではなく、１本の線材１に連続して形成できることを条件に、任意の形状とすることができる。
【符号の説明】
【００２８】
１−線材
２−チューブ
１０−衣服用ハンガー
１１−本体
１２−首部
１３−フック部
２１−孔部
【図１】
0003198810.tif 000003
【図２】
0003198810.tif 000004
【図３】
0003198810.tif 000005
【図４】
0003198810.tif 000006
(57)【要約】      （修正有）【課題】汚れやヌメリが生じにくい台所の三角コーナーおよび水切り籠を提供する。【解決手段】構成材料である線材１２の結合部分に生じた鋭角を成す間隙を、線材と同一の原材料または異なる原材料１４で充填する。【選択図】図４
0003198809.tif 000002
【実用新案登録請求の範囲】
【請求項１】
線材を結合することによって構成された籠状の構造物であって、前記線材の結合部分に生じた鋭角を成す間隙を、前記線材と同一の原材料または異なる原材料で充填したことを特徴とする台所の三角コーナー。
【請求項２】
線材を結合することによって構成された籠状の構造物であって、前記線材の結合部分に生じた鋭角を成す間隙を、前記線材と同一の原材料または異なる原材料で充填したことを特徴とする水切り籠。
【考案の詳細な説明】
【技術分野】
【０００１】
本考案は、台所の三角コーナーおよび水切り籠に関するものである。
【考案の概要】
【考案が解決しようとする課題】
【０００２】
線材を結合して作られた台所の三角コーナーや水切り籠は、線材の結合部分に狭い鋭角を成す間隙があるため、汚れやヌメリが生じ易く非衛生になりがちである。また、清掃を行う際においても、前記間隙の汚れやヌメリが取れにくい。
【課題を解決するための手段】
【０００３】
線材の結合部分の間隙を、前記線材と同一の原材料または異なる原材料で充填する。
【考案の効果】
【０００４】
線材の結合部分の鋭角を成す間隙を無くすことにより、汚れやヌメリが少なくなり、清掃も容易となる。
【図面の簡単な説明】
【０００５】
【図１】本考案を実施する対象である台所の三角コーナーの一例の図である。
【図２】本考案を実施する対象である水切り籠の一例の図である。
【図３】線材の結合部分の実施例を示した拡大斜視図であり、さらに図４は断面図である。
【図４】線材の結合部分の実施例を示した断面図である。
【図５】本考案を実施していない線材結合部分の拡大斜視図であり、さらに図６は断面図である。
【図６】本考案を実施していない線材結合部分の断面図である。
【符号の説明】
【０００６】
１    台所の三角コーナー
２    水切り籠
１２    線材
１４    充填
１６    間隙
【図１】
0003198809.tif 000003
【図２】
0003198809.tif 000004
【図３】
0003198809.tif 000005
【図４】
0003198809.tif 000006
【図５】
0003198809.tif 000007
【図６】
0003198809.tif 000008
(57)【要約】      （修正有）【課題】日常的に発生している誤消印を防止できる郵便往復はがきを提供する。【解決手段】往信面を着色し返信面を白色にして明確に往信面、返信面をわかりやすくして誤消印をなくす。【選択図】図１
0003198873.tif 000002
【実用新案登録請求の範囲】
【請求項１】
本考案は郵便往復はがきの人間の手作業での誤消印の発生を未然に防ぐ為に往信面を着色し返信面を白色して明確に往信面、返信面をわかりやすくして誤消印をなくす為に考案された郵便往復はがきである。
【考案の詳細な説明】
【技術分野】
【０００１】本考案は郵便往復はがきの誤消印防止に関するものである。
【背景技術】
【０００２】現在郵便往復はがきの消印は人間の手作業によるものであり日常誤消印がたえず発生し問題となっている。
通常は先に往信元へ配達されるべきなのにあやまって返信元に先に誤消印、配達され往復はがきの本来の機能が阻害されてしまっている。
【考案の概要】
【考案が解決しようとする課題】人間の手作業での郵便往復はがきへの誤消印をなくす事である。
【課題を解決するための手段】郵便往復はがきの往信面と返信面の色を変える事により、人的誤消印をなくす事が出来る。
【考案の効果】郵便往復はがきの往信面を着色し、返信面を白色にして、色を変える事により誤消印のまちがいをなくす事が出来る。
【図面の簡単な説明】
【図１】本考案の全体正面図
【考案を実施するための形態】
郵便往復はがきの形態は従来のままにし往信面を着色し、返信面は白色にする。
【図１】
0003198873.tif 000003
(57)【要約】      （修正有）【課題】巡回方式で水を節約し、浴槽内がスッキリし、固定型なので安定感もあり、お湯の巡回掃除とお湯の音でリラックス効果を提供できる浴槽浄化装置を提供する。【解決手段】ゴミ取りカップ２と、浴槽からお湯を吸い上げ、当該ゴミ取りカップ２に落とす水中ポンプ１１と、当該ゴミ取りカップ２の排水を吐き出す巡回水排水口５とを、有する。当該ゴミ取りカップ２の中にゴミ取りネット３がセットされている。【選択図】図１
0003198880.tif 000002
【実用新案登録請求の範囲】
【請求項１】
ゴミ取りカップと、浴槽からお湯を吸い上げ、当核ゴミカップに落とす水中ポンプと、当核ゴミ取りカップの排水を吐き出す吐き出し口とを、有する浴槽水浄化装置であって、当核ゴミ取りカップの中に水切りネットがセットされていることを特微とする浴槽浄化装置。
【請求項２】
請求項１に記載されている浴槽浄化装置であって、浴槽本体から給水しゴミ取りカップを巡回して、吐き出し口は打たせ湯水路に排出する事を特微とする浴槽水浄化装置、固定型である。
【考案の詳細な説明】
【技術分野】
【０００１】この発案は浴槽の、お湯を清潔にして、お湯の巡回を利用したもの浴槽の中をスッキリ、排水方式でお湯を取り出し、巡回方式で元に返す、家庭用固定型浄化装置に関するものである。
【背景技術】
【０００２】お湯の巡回でネットでゴミを取る、排水口は打たせ湯にする。
本格的な固定型浄化装置である。
【先行技術文献】
【特許文献】
【考案の概要】
【考案が解決しようとする課題】
【０００３】一般家庭の浴槽で止め湯をした場合、浴槽の下にヌルヌル感が発生する、髪の毛とゴミ、ヌルヌル感を解消するには、本考案は、ネット式浴槽浄化装置で欠点を解決した。
【課題を解決するための手段】
【０００４】浴槽本体から、お湯を吸い上げゴミ取りネットで、お湯を浄化洗浄する。本考案はポンプでお湯を吸い上げ、落下方式を利用したもの。
【考案の効果】
【０００５】浄化装置の落差で、不純物が、点検フタを取ると直接目で確認できる。浴槽水の汚れも少なくなり、エコであり、節約にも貢献ができた。止め湯は人間の体にも優しく、お湯がとてもまろやかです。打たせ湯は、お湯の流れる音はリラックス効果抜群です。
どんな浴槽にも取り付けられ、固定型はとても便利です。
【図面の簡単な説明】
【０００６】
【図１】ネット式浴槽浄化装置  断面図  ３  １  。符号の説明  図面上下境界線下図は  概略図
【図２】ネット式浴槽浄化装置  概略図  水取り出し水中ポンプ室  概略図
【考案を実施するための形態】
【０００７】本考案の実施結果は試作品を実際使用して、水中ポンプ室から吸い上げ、洗浄効果は確実、打たせ湯効果も抜群です。
お湯の落下方式を利用した構造なので、固定式は今後は、ユニットバスのリフォームに最適な要素は大である。
【図１】
0003198880.tif 000003
【図２】
0003198880.tif 000004
(57)【要約】      （修正有）【課題】重ねた布団及び毛布がずれることを防止するずれ防止器具を提供する。【解決手段】タイタック針２を組み込んだ第一のプラスチック成型品Ａと、タイタック針受け６を組み込んだ第二のプラスチック成型品Ｂとを有し、重ねた布団及び毛布にタイタック針２を刺してその先端をタイタック針受け６で受ける。【選択図】図１
0003198878.tif 000002
【実用新案登録請求の範囲】
【請求項１】
タイタックを利用プラスチック成型品に組み込み布団、毛布をサンドする。
【考案の詳細な説明】
【技術分野】
【０００１】
本考案は、寒い時など布団、毛布、その他重ねた時におのうの別々にずれ落ちてしまうことを防止するものである。
【背景技術】
【０００２】
ネクタイを止めるタイタックを利用。
【先行技術文献】
【特許文献】
【０００３】
【特許文献１】実願11-2581
【考案の概要】
【考案が解決しようとする課題】
【０００４】
本考案は、布団、毛布、その他サンドして一体にする。
【課題を解決するための手段】
【０００５】
3〜4Cmの空洞のプラスチック成型品にタイタックをセットする。
【考案の効果】
【０００６】
布団、毛布を重ね四隅にネクタイを止めるように固定する。
【図面の簡単な説明】
【０００７】
【図１】平面図
【図２】完成品
【図３】タイタック
【図４】実施例
【考案を実施するための形態】
【０００８】
本考案は布団、毛布等をサンドする、
【実施例】
【０００９】
図4のとうり布団、毛布サンド。
【産業上の利用可能性】
【００１０】
冬の寒い時に使用。
【符号の説明】
【００１１】
図1  １・プラスチック成型品A  2・タイタック針  3・針を固定する為の蓋ねじ込み式  4・プラスチック成型品B  5・針受けを固定する為の蓋ねじ込み式  6・タイタック針受け
【図１】
0003198878.tif 000003
【図２】
0003198878.tif 000004
【図３】
0003198878.tif 000005
【図４】
0003198878.tif 000006
【手続補正書】
【提出日】平成27年5月20日(2015.5.20)
【手続補正１】
【補正対象書類名】実用新案登録請求の範囲
【補正対象項目名】全文
【補正方法】変更
【補正の内容】
【実用新案登録請求の範囲】
【請求項１】
タイタック針を組み込んだ第一のプラスチック成型品と、タイタック針受けを組み込んだ第二のプラスチック成型品とを有し、重ねた布団及び毛布にタイタック針を刺してその先端をタイタック針受けで受けることにより、重ねた布団及び毛布がずれることを防止することが出来ることを特徴とするずれ防止器具。
(57)【要約】      （修正有） 【課題】スポンジ置きを使用することなく、使用後のスポンジの水切りを可能とするスポンジ取り付け具を提供する。【解決手段】スポンジ取り付け具は、シンク１００の内面に取り付けられ、起毛した面２０１を有するスポンジ２００が着脱自在に取り付けられるベース１０と、ベースの表面に一面が接着され、他面にスポンジの起毛した面と係止するフックが配置された係止部２０と、を備える。係止部２０は、ベース１０より小さい面積で形成されている。【選択図】図１
0003198885.tif 000002
【実用新案登録請求の範囲】
【請求項１】
シンクの内面に取り付けられ、起毛した面を有するスポンジが着脱自在に取り付けられるスポンジ取り付け具であって、
シンクの内面に取り付けられるベースと、ベースの表面に一面が接着され、他面にスポンジの起毛した面と係止するフックが配置された係止部と、を備え、係止部は、ベースより小さい面積で形成されているスポンジ取り付け具。
【考案の詳細な説明】
【技術分野】
【０００１】
シンクの内面に取り付けられ、起毛した面を有するスポンジが着脱自在に取り付けられるスポンジ取り付け具に関する。                                                            
【背景技術】
【０００２】
従来、食器を洗うためのスポンジとして、特許文献１には、上下が開口している筒型の吸水体を、内側と外側から網で覆い、筒型吸水体の下部に網を設け垂らし、それを袋状にまとめたことを特徴とする食器洗い袋スポンジが提案されている。このようなスポンジは、シンクに取り付けられたスポンジ置きに載置される。
【先行技術文献】
【特許文献】
【０００３】
【特許文献１】特開２０１２−１７０８１３号公報
【考案の概要】
【考案が解決しようとする課題】
【０００４】
しかしながら、このようなスポンジ置きはカビ等により、ぬめり等が発生し、衛生的でない。またスポンジ置きはシンクの使用スペースを圧迫する場合もある。本考案は、スポンジ置きを使用することなく、使用後のスポンジの水切りを可能とするスポンジ取り付け具を提供することを目的とする。
【課題を解決するための手段】
【０００５】
シンクの内面に取り付けられ、起毛した面を有するスポンジが着脱自在に取り付けられるスポンジ取り付け具であって、シンクの内面に取り付けられるベースと、ベースの表面に一面が接着され、他面にスポンジの起毛した面と係止するフックが配置された係止部と、を備え、係止部は、ベースより小さい面積で形成されているスポンジ取り付け具。
【考案の効果】
【０００６】
スポンジ置きを使用することなく、使用後のスポンジの水切りを可能とするスポンジ取り付け具を提供することができる。
【図面の簡単な説明】
【０００７】
【図１】本考案の実施形態に係るスポンジ取り付け具を説明する図である。
【図２】本考案の実施形態に係るスポンジ取り付け具を側面から視た図である。
【考案を実施するための形態】
【０００８】
スポンジ取り付け具１は、シンク１００の内面に取り付けられ、起毛した面２０１を有するスポンジ２００が着脱自在に取り付けられ、シンク１００の内面に取り付けられるベース１０と、ベース１０の表面に一面が接着され、他面にスポンジ２００の起毛した面２０１と係止するフック２１が配置された係止部２０と、を備える。係止部２０は、ベース１０より小さい面積で形成され、例えば、２段で設けられ、ベース１０の表面に固定されている。
【符号の説明】
【０００９】
１      スポンジ取り付け具
１０    ベース
２０    係止部
２１    フック
１００  シンク      
２００  スポンジ
２０１  起毛した面                
【図１】
0003198885.tif 000003
【図２】
0003198885.tif 000004
(57)【要約】      （修正有）【課題】スマートフォンを操作する際の保持を安定的なものとし、スマートフォンの落下・破損を予防する保持補助シールを提供する。【解決手段】保持補助シールはシート状の形態を成し、接着部と指挿入部から成り、接着部にはスマートフォンまたはスマートフォンケース裏側に貼付するための接着剤が塗布されており、指挿入部にはスマートフォンを保持するよう第２指から第４指を挿入のための開口部を有し、開口部は第２指から第４指が独立して個々に挿入されるタイプ又は一括して挿入されるタイプの形状があり、更には接着部と指挿入部との間を谷折することにより、指挿入部が自然起立し各指の挿入を容易にしたことを特徴とする。【選択図】図４
0003198862.tif 000002
【実用新案登録請求の範囲】
【請求項１】
指挿入部を備えたスマートフォン保持補助シールにより、スマートフォンの保持・操作を容易にし、スマートフォンが手から滑落することを予防するスマートフォン保持補助シール。
【考案の詳細な説明】
【技術分野】
【０００１】
本考案は、スマートフォンの保持補助シールに関するものである。
【背景技術】
【０００２】
スマートフォンを車内や歩行中に操作する場合、右手または左手の第２指から第４指をスマートフォンの裏面に置き、第１指で画面をタッチ操作するのが常態であるが、その際スマートフォンが滑落して破損することが頻発していた。
【考案の開示】
【考案が解決しようとする課題】
【０００３】
スマートフォンを操作する場合の落下・破損を予防する。
【課題を解決するための手段】
【０００４】
スマートフォンの裏面に指挿入部を備えたスマートフォン保持補助シールを貼付したのち、右手または左手の第二指から第五指を挿入することによりスマートフォンの保持を補助しスマートフォンの落下を防止する。
【考案の効果】
【０００５】
本件考案のスマートフォン保持補助シールを貼付し、指挿入部に指を挿入することでスマートフォンの保持を安定させることを補助できる。
【０００６】
シールタイプとすることで、安価でいずれの機種にも広範に対応し、スマートフォンケースの上からも使用できる。
【０００７】
また、スマートフォン保持補助シール本体に着色したり、模様や図形を描くことによりファッション化したり、各種ロゴなどを記載することで、商用も可能となる。
無色であれば、スマートフォン本体またはスマートフォンケースの外観を損ねること無く保持を補助できる。
【図面の簡単な説明】
【０００８】
【図１】本件考案の保持補助シールの形状を示した説明図である。指挿入部は、各指独立形と一括形があり、本図は各指独立形の形状を示す。破線部で谷折りすることにより指挿入部が自然起立する。
【図２】本件考案の保持補助シールの形状を示した説明図である。指挿入部は、各指独立形と一括形があり、本図は各指一括形の形状を示す。破線部で谷折りすることにより指挿入部が自然起立する。
【図３】本件考案の保持補助シールの実施方法を示した説明図である。本図は、各指独立形の実施方法を示しているが、一括形も同様の実施方法である。
【図４】本件考案の保持補助シールの実施方法を示した説明図である。本図は、各指独立形の実施方法を示しているが、一括形も同様の実施方法である。
【図５】本件考案の保持補助シールの実施方法を示した説明図である。本図は、各指独立形の実施方法を示しているが、一括形も同様の実施方法である。
【図１】
0003198862.tif 000003
【図２】
0003198862.tif 000004
【図３】
0003198862.tif 000005
【図４】
0003198862.tif 000006
【図５】
0003198862.tif 000007
【手続補正書】
【提出日】平成27年5月22日(2015.5.22)
【手続補正１】
【補正対象書類名】実用新案登録請求の範囲
【補正対象項目名】全文
【補正方法】変更
【補正の内容】
【実用新案登録請求の範囲】
【請求項１】
本件考案の保持補助シールはシート状の形態を成し、接着部と指挿入部から成り、接着部にはスマートフォンまたはスマートフォンケース裏側に貼付するための接着剤が塗布されており、指挿入部にはスマートフォン保持に資するよう第２指から第４指挿入のための開口部を有するが、開口部は第２指から第４指が独立して個々に挿入されるタイプと一括して挿入されるタイプの各形状があり、更には接着部と指挿入部との間を谷折することにより、指挿入部が自然起立し各指の挿入を容易にした保持補助シール。
(57)【要約】      （修正有）【課題】ボールの持ち運びに際し、ボール自体のデザインを見えるようにしつつ、耐久性とデザイン性の優れたボールバックを提供する。 【解決手段】皮革製のベルト４で側面を囲うことでボール自体のデザインを見えるようにして、底面をアルミニウム合金製の受け皿５によりボールを支えることで、耐久性とデザイン性を向上させたことが特徴である。【選択図】図１
0003198824.tif 000002
【実用新案登録請求の範囲】
【請求項１】
ボールのデザインを隠すことなく、側面及び上面を皮革製のベルトにて囲い、
鈑金加工したアルミニウム合金製の受け皿でボールを支えて収納出来るよう
にした組み合わせを特徴とするボールバック。
【考案の詳細な説明】
【技術分野】
【０００１】
ボールの側面を皮革製のベルトで囲い、底面をアルミニウム合金で支えた
ボールバックに関するものである。
【背景技術】
【０００２】
従来のボールバックはナイロン製や布製のもの、または、ポリプロピレン製
やポリエステル製の網状のものが一般的である。
【考案の概要】
【考案が解決しようとする課題】
【０００３】
従来のナイロン製や布製のボールバックは、ボール自体のデザインが隠れて
しまうことが多く、ポリプロピレン製やポリエステル製の網状のタイプのも
のは耐久性が乏しい。
【課題を解決するための手段】
【０００４】
側面及び上面を皮革製のベルト４にて囲い、鈑金加工したアルミニウム及び
アルミニウム合金製の受け皿５によりボールを支えて収納する。
皮革製のベルト４と受け皿５はかしめ金具３でしっかりと緊結する。
これによりボールのデザインを隠すことなく、耐久性を兼ね備えることにな
り問題を解決している。
【考案の効果】
【０００５】
本考案は、厚い皮革製のベルト４で囲い、アルミニウム合金による受け皿５
で支える事によって、ボール自体のデザインを隠すことなく、耐久性を兼ね
備えたボールバックを提供できるものである。
その上、皮革製のベルトとアルミニウム合金の受け皿の組み合わせにより、
従来にはないデザイン性の高いものとなり、美的効果の優れたボールバック
を提供できる。
【図面の簡単な説明】
【０００６】
【図１】本考案のボールバックの全体図
【図２】本考案のボールバックの底面からの図
【図３】本考案のボールバックにボールを収納した時の全体図
【考案を実施するための形態】
【０００７】
ボールの側面及び上面を皮革製のベルト４にて囲い、下部を鈑金加工したア
ルミニウム合金製の受け皿５にかしめ金具３により緊結し、上部はヒモ１に
巻きつけてかしめ金具３で留め付ける。
ボールの出し入れの際は、ベルト４とベルト４の間をボタンの付いた皮革製
の留め具６で開閉できるようにしておく。
側面のベルト４上部とヒモ１はルーズ接合になっており、ベルト４上部がヒ
モ１に沿って広がることによって、ボールの出し入れができる。
ボールを入れてから、ベルト４上部を束ねることによってボールを囲い、留
め具６のボタンを留めて、収納完了となる。
それだけだと束ねた部分に緩みが出来てしまう為、皮革製の戻り留め２で締
め付け、緩みをとる。
【符号の説明】
【０００８】
１  ヒモ
２  戻り留め
３  かしめ金具
４  ベルト
５  受け皿
６  留め具
【図１】
0003198824.tif 000003
【図２】
0003198824.tif 000004
【図３】
0003198824.tif 000005
(57)【要約】      （修正有）【課題】車の中で箱ティッシュの置き場所にするためのティッシュホルダーを提供する。【解決手段】車のサンバイザーに挟み込む様Ｕ字型にワイヤを加工するとともに箱ティッシュが入れ込める様長方形型にホルダーとしてワイヤを加工し、その中に箱ティッシュを入れて使用する。【選択図】図１
0003198853.tif 000002
【実用新案登録請求の範囲】
【請求項１】
車の中での箱ティッシュがすぐ使える
【考案の詳細な説明】
【技術分野】
【Ｋ０００１】
本発明は箱ティッシュに関するものであります。
車の箱ティッシュの置き場所について運転中に花粉症で鼻水が止まらない、ジュースをこぼした、というようにいざという時にすぐティッシュが取り出せる様にと考えました。車のサンバイザー（左）に差し込み使用します。
ティッシュホルダー（右）中央には運転中、箱ティッシュが落ちて来ないように運転中の安全を考えた止めフックが付けてあります。
【図１】
0003198853.tif 000003
【図２】
0003198853.tif 000004
【手続補正書】
【提出日】平成27年5月6日(2015.5.6)
【手続補正１】
【補正対象書類名】実用新案登録請求の範囲
【補正対象項目名】全文
【補正方法】変更
【補正の内容】
【実用新案登録請求の範囲】
【請求項１】
車のサンバイザーに挟み込む様Ｕ字型にワイヤを加工するとともに箱ティッシュが入れ込める様長方形型にホルダーとして前記ワイヤを加工し、その中に箱ティッシュを入れて使用することを特徴とするティッシュホルダー
【手続補正３】
【補正対象書類名】明細書
【補正対象項目名】全文
【補正方法】変更
【補正の内容】
【考案の詳細な説明】
【技術分野】
【０００１】  本発明は箱ティッシュに関するものであります。
車の箱ティッシュの置き場所について運転中に花粉症で鼻水が止まらない、ジュースをこぼした、というようにいざという時にすぐティッシュが取り出せる様にと考えました。車のサンバイザー（左）に差し込み使用します。
ティッシュホルダー（右）中央には運転中、箱ティッシュが落ちて来ないように運転中の安全を考えた止めフックが付けてあります。
【図面の簡単な説明】
【０００２】
【図１】図１は、平面図
【図２】図２は、立体図
(57)【要約】      （修正有）【課題】身近な装置を利用して心身の状態を容易に確認出来るようにした、カード型体温測定による占い装置を提供する。【解決手段】体温を検知する液晶インクチップ１０２を、キャッシュカード大の台紙１０１に設置。体温を検知し体温により変化した色に対応した占いを表示部１０３に表示する手段を設けたことを特徴とする。【選択図】図１
0003198856.tif 000002
【実用新案登録請求の範囲】
【請求項１】
体温を検知して色が変化するチップ部と、前記変化した色に対応した占いを表記した表示部とを備えたことを特徴とする占いカード。
【考案の詳細な説明】
【技術分野】
【０００１】      人はストレスがあると肩や腕の筋肉が緊張するため、その筋肉に囲まれた血管が収縮し、血液の流れが悪くなり指先温度が下がる。専門医も指先の温度が３３℃以下でストレス状態、３３〜３４℃平常状態３５℃以上をリラックス状態と見ている。本案は体温を液晶インクチップを用い測定することにより、ストレスを確認する。ストレスは心身の状態に変化を起こす為、占いを表記した表示部で警告を発するとともに、神秘性を深める効果を発揮する装置である。
【背景技術】
【０００２】従来からストレスを数値的に計測する手段として、脳波計測、皮膚電気抵抗計測、皮膚温度計測などがあるが、何れも高価で操作も難しいため、一般で簡単に用いられることはない。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【・・・・】
そこで、誰にでも簡単に利用出来るよう、安価、簡単操作、携帯に便利などを考慮するとともに、占いというジャンルで表現することにより、楽しみながら心身の状況を把握することを目的とする。
【課題を解決するための手段】
【・・・・】
体温を検知して色が変化するチップ部と、前記変化した色に対応した占いを表記した表示部とを備えたことを特徴とする占いカード。
【考案の効果】
【・・・・】
上記手段により、極めて身近な体温測定装置で、ストレスとリラックスの確認が可能となる。これを占いを表記した表示部と照合することにより楽しく測定でき、安価のため多くの人に活用されると思われる。外国語表記をすることにより外国人にも楽しんでもらえる。又、表面に店舗情報を表示することにより販促集客効果も期待できる。
【図面の簡単な説明】
【・・・・】
【図１】
【考案を実施するための形態】
【・・・・】
この考案の占いカード１０１の実施形態を図面を参照し説明すると、図１はこの考案の実施の形態を示す概要図である。図１の液晶インクチップ部１０２に１０秒間指を当てると、表面体温により色に変化する。その色を表示部１０３の色と照合し、現状の心身状態に対応して占いが表示部に表示され、利用者はその変化した色と表示部を照合して占う。
【実施例】
【・・・・】
【産業上の利用可能性】
【・・・・】
【符号の説明】
【・・・・】
１０１−占いカード、    １０２−液晶インクチップ
１０３−体温色表示区分及び占い表現
0003198856.tif 000003
【図１】
0003198856.tif 000004
【図２】
0003198856.tif 000005
【手続補正書】
【提出日】平成27年5月1日(2015.5.1)
【手続補正１】
【補正対象書類名】明細書
【補正対象項目名】全文
【補正方法】変更
【補正の内容】
【考案の詳細な説明】
【技術分野】
【０００１】人はストレスがあると肩や腕の筋肉が緊張するため、その筋肉に囲まれた血管が収縮し、血液の流れが悪くなり指先温度が下がる。専門医も指先の温度が３３℃以下でストレス状態、３３〜３４℃平常状態３５℃以上をリラックス状態と見ている。本案は体温を液晶インクチップを用い測定することにより、ストレスを確認する。ストレスは心身の状態に変化を起こす為、占いを表記した表示部で警告を発するとともに、神秘性を深める効果を発揮する装置である。
【背景技術】
【０００２】従来からストレスを数値的に計測する手段として、脳波計測、皮膚電気抵抗計測、皮膚温度計測などがあるが、何れも高価で操作も難しいため、一般で簡単に用いられることはない。
【考案の概要】
【考案が解決しようとする課題】
【０００３】そこで、誰にでも簡単に利用出来るよう、安価、簡単操作、携帯に便利などを考慮するとともに、占いというジャンルで表現することにより、楽しみながら心身の状況を把握することを目的とする。
【課題を解決するための手段】
【０００４】体温を検知して色が変化するチップ部と、前記変化した色に対応した占いを表記した表示部とを備えたことを特徴とする占いカード。
【考案の効果】
【０００５】上記手段により、極めて身近な体温測定装置で、ストレスとリラックスの確認が可能となる。これを占いを表記した表示部と照合することにより楽しく測定でき、安価のため多くの人に活用されると思われる。
外国語表記をすることにより外国人にも楽しんでもらえる。又、表面に店舗情報を表示することにより販促集客効果も期待できる。
【図面の簡単な説明】
【０００６】
【図１】平面図
【考案を実施するための形態】
【０００７】この考案の占いカード１０１の実施形態を図面を参照し説明すると、図１はこの考案の実施の形態を示す概要図である。図１の液晶インクチップ部１０２に１０秒間指を当てると、表面体温により色に変化する。その色を表示部１０３の色と照合し、現状の心身状態に対応して占いが表示部に表示され、利用者はその変化した色と表示部を照合して占う。
【符号の説明】
【０００８】１０１−占いカード、    １０２−液晶インクチップ
１０３−体温色表示区分及び占い表現
【手続補正２】
【補正対象書類名】図面
【補正対象項目名】全図
【補正方法】変更
【補正の内容】
【図１】
0003198856.tif 000006